(57)【特許請求の範囲】
【請求項１】
吸，排気弁の各弁軸に連設されたアーマチュアと、該アーマチュアを挾んで上下方向、即ち弁軸方向に対向して配設され、かつ、アーマチュア端縁の弁軸方向厚みの端面に近接したハウジングの側壁構成部材により所要の間隔が保持された２つの電磁石と、前記弁軸を開弁側と閉弁側とに付勢する２つのばね部材とを備え、吸，排気弁をこれら電磁石とばね部材との協働により電磁的に開閉するようにした内燃機関の動弁装置において、前記アーマチュアおよび電磁石を弁軸方向の投影平面でほぼ整合する平面矩形に形成する一方、前記側壁構成部材を平面矩形に形成されたアーマチュアの気筒列方向ではない向きで対向する一対の各前記端面に対向して該端面にほぼ揃えた幅で配置し、かつ、該側壁構成部材の該端面に対向する面又は該端面の少くとも何れか一方を平面視してこれら端面に対向する面と端面との間の隙間が場所によって変化するように円弧状の凹曲面に形成したことを特徴とする内燃機関の動弁装置。
【請求項２】
前記側壁構成部材を平面矩形に形成されたアーマチュアの気筒列方向ではない向きで対向する一対の各前記端面に対向して該端面よりも幅狭にして配置したことを特徴とする請求項１に記載の内燃機関の動弁装置。
【請求項３】
側壁構成部材に対向するアーマチュアの端縁を、該アーマチュアの厚み中心線上に頂部を持つ側面先細状に形成したことを特徴とする請求項１または請求項２に記載の内燃機関の動弁装置。
【請求項４】
前記側壁構成部材を平面矩形に形成されたアーマチュアの気筒列方向ではない向きで対向する一対の各前記端面に対向して該端面にほぼ揃えた幅で配置し、かつ、該端縁の両側隅角部に側壁構成部材面に対して転動可能な回転体を装着したことを特徴とする請求項１に記載の内燃機関の動弁装置。
【発明の詳細な説明】
【０００１】
【発明の属する技術分野】
本発明は内燃機関の動弁装置、とりわけ、吸，排気弁を電磁的に開閉するようにした動弁装置に関する。
【０００２】
【従来の技術】
車両用エンジンの電磁駆動タイプの動弁装置は周知のように、吸，排気弁の各弁軸に連設したアーマチュアを、該アーマチュアを挾んで上下方向に対向配置した開弁側の電磁石および閉弁側の電磁石と、前記弁軸を開弁側に付勢するばね部材および閉弁側に付勢するばね部材との協働により作動させて、これら吸，排気弁を電磁的に開閉するようにしているが、前記開弁側および閉弁側の電磁石は、例えば特開平８−９３４２６号公報に示されているようにハウジング自体でこれら両電磁石間を所要の間隔に保持するか、あるいはハウジングに設けたディスタンスブロック等の側壁構成部材によって前記間隔を保持するようにしている。
【０００３】
【発明が解決しようとする課題】
吸，排気弁をそれぞれ複数個備えた燃焼室構造のエンジンでは、これら吸，排気弁の動弁装置を平面矩形に構成してそれぞれ吸気弁側と排気弁側で隣接する複数個の動弁装置を近接して配設できるようにすることが望まれる。
【０００４】
動弁装置を平面矩形に構成するためには、ハウジングの一対の対向する側壁もしくはディスタンスブロック等の側壁構成部材の間に、前述のアーマチュアおよび電磁石を投影平面でほぼ整合する平面矩形に形成して組付ければよいが、この場合、平面矩形のアーマチュアがその上下作動するのに伴って回転方向に位置ずれを生じると、該アーマチュアの前記側壁構成部材と対向する端縁の両側隅角部の一方が該側壁構成部材に干渉して両者間にフリクションを生じ、経時的に該隅角部が摩耗して側壁構成部材との接触面積が増大して、これに伴ってフリクションも増加してしまうため、電磁石の電磁力を予め強めに設定して該フリクションに打ち勝てるようにする必要があって、その分バッテリの消費電力が大きくなってしまう。
【０００５】
また、このように接触面積が増大してフリクションが増加すると、初期の弁開閉特性が維持できなくなってしまうばかりでなく、前記接触部分に異物が介在し易くなって弁開閉特性が悪化してしまう可能性がある。
【０００６】
特に、前述の開弁側および閉弁側の各ばね部材としてコイルスプリングが用いられる場合、該コイルスプリングの捩り力がアーマチュアの回転方向に作用するため、前述の現象が顕著となってしまう。
【０００７】
そこで、本発明はアーマチュアおよび電磁石を平面矩形に形成してあっても、ハウジングの側壁構成部材とアーマチュア端縁の隅角部との干渉に起因した該隅角部の摩耗進行による接触面積の増大およびフリクションの増加を抑制することができる内燃機関の動弁装置を提供するものである。
【０００８】
【課題を解決するための手段】
請求項１の発明にあっては、吸，排気弁の各弁軸に連設されたアーマチュアと、該アーマチュアを挾んで上下方向に対向して配設され、かつ、アーマチュア端縁の弁軸方向厚みの端面に近接したハウジングの側壁構成部材により所要の間隔が保持された２つの電磁石と、前記弁軸を開弁側と閉弁側とに付勢する２つのばね部材とを備え、吸，排気弁をこれら電磁石とばね部材との協働により電磁的に開閉するようにした内燃機関の動弁装置において、前記アーマチュアおよび電磁石を弁軸方向の投影平面でほぼ整合する平面矩形に形成する一方、前記側壁構成部材を平面矩形に形成されたアーマチュアの気筒列方向ではない向きで対向する一対の各前記端面に対向して該端面にほぼ揃えた幅で配置し、かつ、該側壁構成部材の該端面に対向する面又は該端面の少くとも何れか一方を平面視してこれら端面に対向する面と端面との間の隙間が場所によって変化するように円弧状の凹曲面に形成したことを特徴としている。
【００１０】
請求項２の発明にあっては、請求項１に記載の側壁構成部材を平面矩形に形成されたアーマチュアの気筒列方向ではない向きで対向する一対の各前記端面に対向して該端面よりも幅狭にして配置したことを特徴としている。
【００１１】
請求項３の発明にあっては、請求項１または請求項２に記載の側壁構成部材に対向するアーマチュアの端縁を、該アーマチュアの厚み中心線上に頂部を持つ側面先細状に形成したことを特徴としている。
【００１２】
請求項４の発明にあっては、請求項１に記載の側壁構成部材を平面矩形に形成されたアーマチュアの気筒列方向ではない向きで対向する一対の各前記端面に対向して該端面にほぼ揃えた幅で配置し、かつ、該端縁の両側隅角部に側壁構成部材面に対して転動可能な回転体を装着したことを特徴としている。
【００１３】
【発明の効果】
請求項１に記載の発明によれば、アーマチュアおよび電磁石を弁軸方向の投影平面でほぼ整合する平面矩形に形成してあるため、複数個の動弁装置を隣接配置する場合にこれら動弁装置の複数個を近接して配置することが可能となり、動弁装置の配設レイアウトの自由度を拡大することができると共に、電磁石の吸着面に対してアーマチュアの電磁力を受ける面積の低減化を伴わないため電磁石によるアーマチュアの良好な吸着作動を確保することができる。
【００１４】
また、アーマチュアが弁軸の軸線上で回転方向に位置ずれを生じ、ハウジングの側壁構成部材と対向する端縁の一側隅角部が該側壁構成部材と干渉した場合でも、該側壁構成部材のアーマチュア端縁の弁軸方向厚みの端面と対向する面又は該端面の少くとも何れか一方を平面視して弧状の曲面に形成してあるため、前記アーマチュア端縁の隅角部との接触点周りの間隙を比較的に広く確保することができて該接触点周りに異物が挾み込まれるのを抑制できると共に、低温時に前記接触点周りで潤滑油がペースト状に固まって介在するのを抑制できて前記隅角部の摩耗を抑制することができ、しかも、該隅角部が摩耗しても側壁構成部材又はアーマチュア端縁の弁軸方向厚みの端面の弧状の曲面によって接触面積の増加を可及的に小さく抑制することができる。
【００１５】
この結果、ハウジングの側壁構成部材とアーマチュア端縁の隅角部との干渉に起因してフリクションが大きくなるのを抑制できるから、電磁石の電磁力を必要以上に強めに設定しなくてもよく、バッテリの消費電力を節減することができる。
【００１６】
また、アーマチュア端縁の隅角部の摩耗による接触面積の増加を可及的に小さく抑制でき、しかも、接触点周りへの異物の挾み込みを抑制できるため、初期の弁開閉特性を良好に維持することができる。
【００１７】
さらに、ハウジングの側壁構成部材のアーマチュア端縁に対向する面又は該アーマチュア端縁の少くとも何れか一方に設けた弧状の曲面を円弧状の凹曲面に形成してあるため、アーマチュアが回転方向に位置ずれを生じた場合、該アーマチュア端縁の一側隅角部が側壁構成部材面に直ちに干渉して該回転方向の位置ずれによるアーマチュアの電磁石吸着面からのはみ出し量を小さく抑制し、該アーマチュアの吸着有効面積を確保できて作動不良を誘発するのを回避することができる。
【００１８】
請求項２に記載の発明によれば、アーマチュアおよび電磁石を弁軸方向の投影平面でほぼ整合する平面矩形に形成してあるため、複数個の動弁装置を隣接配置する場合にこれら動弁装置の複数個を近接して配置することが可能となり、動弁装置の配設レイアウトの自由度を拡大することができると共に、電磁石の吸着面に対してアーマチュアの電磁力を受ける面積の低減化を伴わないため電磁石によるアーマチュアの良好な吸着作動を確保することができる。
【００１９】
また、ハウジングの側壁構成部材をアーマチュアの対向する一対の各端縁に対向して、該端縁よりも幅狭にして配置してあるため、アーマチュアが弁軸の軸線上で回転方向に位置ずれを生じた場合でも、前記端縁の中間部分が側壁構成部材の側壁に直ちに干渉し、該端縁の一側隅角部と側壁構成部材面とのかじりをなくしてフリクションの増大化を回避することができる。
【００２０】
この結果、電磁石の電磁力を必要以上に強めに設定しなくてもよく、バッテリの消費電力を節減することができ、しかも、前述のようにアーマチュアが回転方向に位置ずれを生じた場合、該アーマチュア端縁の中間部分が側壁構成部材の側縁に直ちに干渉して該回転方向の位置ずれによるアーマチュアの電磁石吸着面からのはみ出し量を小さく抑制し、該アーマチュアの吸着有効面積を確保できて作動不良を誘発するのを回避することができる。
【００２１】
請求項３に記載の発明によれば、請求項１と請求項２の発明の効果に加えて、ハウジングの側壁構成部材に対向するアーマチュアの端縁を、該アーマチュアの厚み中心線上に頂部を持つ側面先細状に形成してあるため、アーマチュアが回転方向に位置ずれした場合、該アーマチュアの端縁と側壁構成部材との接触をほぼ点接触にすることができてフリクションを可及的に小さくし、弁開閉特性を良好に維持させることができる。
【００２２】
請求項４に記載の発明によれば、アーマチュアおよび電磁石を弁軸方向の投影平面で整合する平面矩形に形成してあるため、複数個の動弁装置を隣接配置する場合にこれら動弁装置の複数個を近接して配置することが可能となり、動弁装置の配設レイアウトの自由度を拡大することができると共に、電磁石の吸着面に対してアーマチュアの電磁力を受ける面積の低減化を伴わないため電磁石によるアーマチュアの良好な吸着作動を確保することができる。
【００２３】
また、ハウジングの側壁構成部材に対向するアーマチュア端縁の両側隅角部には、該側壁構成部材面に対して転動可能な回転体を装着してあるため、アーマチュアが弁軸の軸線上で回転方向に位置ずれを生じた場合でも、前記回転体が側壁構成部材面に接触、転動してアーマチュア端縁の一側隅角部と側壁構成部材面とのかじりをなくしてフリクションの増大化を回避することができる。
【００２４】
この結果、電磁石の電磁力を必要以上に強めに設定しなくてもよく、バッテリの消費電力を節減することができ、しかも、前述のようにアーマチュアが回転方向に位置ずれを生じた場合、該アーマチュア端縁の一側隅角部の回転体が側壁構成部材面に直ちに干渉して該回転方向の位置ずれによるアーマチュアの電磁石吸着面からのはみだし量を小さく抑制し、該アーマチュアの吸着有効面積を確保できて作動不良を誘発するのを回避することができる。
【００２５】
【発明の実施の形態】
以下、本発明の実施形態を図面と共に詳述する。
【００２６】
図１において、１は吸気弁又は排気弁等の弁体、２は該弁体１の動弁装置を示している。
【００２７】
動弁装置２は前記弁体１の弁軸１ａに連設した磁性金属材料からなるアーマチュア４と、コア５ａ，６ａと励磁コイル５ｂ，６ｂを備えて前記アーマチュア４を挾んで上下方向、即ち弁軸方向に対向して配設した開弁側および閉弁側の２つの電磁石５，６と、前記弁軸１ａを開弁側と閉弁側とに付勢する２つのばね部材としてのコイルスプリング７，８とを備えている。
【００２８】
コイルスプリング７，８は電磁石５，６が消磁している状態では弁体１が中間リフト位置を保持するように所要の平衡したばね力に設定し、電磁石５，６はこれらコイルスプリング７，８のばね力の大きさに適応した大きさの電磁力が得られるように設定して、これら電磁石５，６の電磁力とコイルスプリング７，８のばね力との協働によって弁体１を開閉するようにしてある。
【００２９】
アーマチュア４はその下面中心位置に固設したアーマチュア軸４ａを備え、該アーマチュア軸４ａの下端を前記弁軸１ａの上端に嵌挿したコンタクト４ｂに当接して該弁軸１ａに連設してある。
【００３０】
アーマチュア４の上面中央には上側の可動側スプリングシート９に固設したばね軸９ａの下端が当接し、開弁側のコイルスプリング７はハウジング３の上壁に固設した固定側スプリングシート１０と該可動側スプリングシート９との間に弾装してある。
【００３１】
閉弁側のコイルスプリング８はシリンダヘッド１１に設けた凹部１１ａ内に配置して、弁軸１ａに固設した可動側スプリングシート１２と凹部１１ａの底面に固設した固定側スプリングシート１３との間に弾装してある。
【００３２】
動弁装置２は極力コンパクトに配設し得るようにハウジング３を平面矩形に形成すると共に、アーマチュア４および電磁石５，６は該ハウジング３内に整然と収まるように同様に弁軸方向の投影平面でほぼ整合する平面矩形に形成してあり、かつ、該ハウジング３の気筒列方向の両側部は側壁をなくして開放し、気筒列方向に近接して配設し得るようにしてある。
【００３３】
ハウジング３は本実施形態では閉弁側電磁石６および開弁側コイルスプリング７等を収容する上側ハウジング３Ａと、開弁側電磁石５を収容する下側ハウジング３Ｂとに分割してあり、それらの間にハウジング３の側壁構成部材としてのディスタンスブロック３Ｃを挾んで図外のボルトにより一体的に締結固定し、該ディスタンスブロック３Ｃにより開弁側電磁石５と閉弁側電磁石６とを位置決めして、これら開弁側電磁石５と閉弁側電磁石６との間に所要の上下方向間隔を保持するようにしている。
【００３４】
ここで、前記ディスタンスブロック３Ｃは図２に示すように、アーマチュア４の対向する一対の端縁４Ｅの平面延長上にほぼ揃えた幅Ｌ１  に形成して近接配置してあり、かつ、該ディスタンスブロック３Ｃのアーマチュア端縁４Ｅに対向する面を平面視して弧状の曲面に形成してある。
【００３５】
本実施形態ではこのディスタンスブロック３Ｃのアーマチュア端縁４Ｅに対向する面を平面視して円弧状の凹曲面として形成してあり（図２の右半部参照）、該アーマチュア端縁４Ｅの両側隅角部とディスタンスブロック３Ｃとの間の最小間隙δは例えば約２ｍｍに設定して、アーマチュア４が弁軸１ａの軸線上で回転方向に位置ずれを生じても、該隅角部が直ちにディスタンスブロック３Ｃに干渉して過度の位置ずれを規制するようにしてある。
【００３６】
この図２ではその左半部に本実施形態の構造と比較するため、ディスタンスブロック３Ｃのアーマチュア端縁対向面を平坦に形成した状態のものを併記してある。
【００３７】
図１中、１４はバルブシート、１５，１６は電磁石５，６のアーマチュア軸貫挿部およびばね軸貫挿部に装着した軸受を示す。
【００３８】
以上のようにこの実施形態の構造によれば、動弁装置２のハウジング３を平面矩形に形成し、これに併せてアーマチュア４および電磁石５，６を弁軸方向の投影平面でほぼ整合する平面矩形に形成してあるため、複数個の動弁装置２を気筒列方向に隣接して配置する場合にこれら動弁装置２の複数個を近接して配置することが可能となり、動弁装置２の配設レイアウトの自由度を拡大することができると共に、電磁石５，６の吸着面に対してアーマチュア４の電磁力を受ける面積の低減化を伴わないため、これら電磁石５，６によるアーマチュア４の良好な吸着作動を確保することができる。
【００３９】
ここで、前記アーマチュア４は上下往復動の繰り返しに伴って弁軸１ａの軸線上で回転運動を生じ、特に開弁側ばね部材７および閉弁側ばね部材８として本実施形態のようにコイルスプリングが用いられていると、このコイルスプリング７，８の捩り力がアーマチュア４の回転方向に作用するから、該アーマチュア４が回転方向へ位置ずれする傾向は大きくなる。
【００４０】
ディスタンスブロック３Ｃはアーマチュア端縁４Ｅと対向する面を図２の左半部に示すように平坦に形成し、該ディスタンスブロック３Ｃとアーマチュア端縁４Ｅとの間の間隙を前述の理由により約２ｍｍに設定した場合、アーマチュア４が２点鎖線で示す正規の位置から実線で示すように回転位置ずれしてアーマチュア端縁４Ｅの一側隅角部がディスタンスブロック３Ｃ面に干渉すると、それらの接触点からアーマチュア端縁４Ｅの中央方向に向けて比較的に長い領域に亘って僅少間隙が生じる。
【００４１】
このため、該僅少間隙部分に異物が挾まってディスタンスブロック３Ｃとアーマチュア端縁４Ｅとのかじり現象が生じたり、あるいは低温時に該僅少間隙部分で潤滑油がペースト状に固まってしまう傾向が高くなって、アーマチュア端縁４Ｅの隅角部からの摩耗度合いが大きくなってしまう。しかも、以上の理由でアーマチュア端縁４Ｅの摩耗が生じるとこのアーマチュア端縁４Ｅの隅角部の摩耗が大きくなって例えば図示するようにアーマチュア４が角度θで回転位置ずれを生じていると、アーマチュア端縁４Ｅの片側とディスタンスブロック３Ｃとの接触面積は同図で符号Ａ1 で示すように広がってしまう。
【００４２】
このようにディスタンスブロック３Ｃとアーマチュア端縁４Ｅとの接触面積が増大すると、これに伴ってフリクションも増加してしまうことから、電磁石５，６の電磁力を予め強めに設定して該フリクションに打ち勝てるようにしなければならず、その分バッテリの消費電力が大きくなってしまうばかりでなく、前記フリクションの増大化によって初期の弁開閉特性を維持できなくなって、弁開閉特性が悪化してしまうことになる。
【００４３】
一方、これに対して本実施形態の構造では図２の右半部に示すようにディスタンスブロック３Ｃのアーマチュア端縁４Ｅに対向する面は平面視して円弧状の凹曲面として形成してあるから、アーマチュア４が同図の２点鎖線で示す正規の位置から実線で示すように回転位置ずれして、アーマチュア端縁４Ｅの一側隅角部がディスタンスブロック３Ｃに干渉した場合でも、該アーマチュア端縁４Ｅの隅角部との接触点周りの間隙は円弧面に沿った広がりをもって比較的に広く確保することができ、該接触点周りに異物が挾み込まれるのを抑制できると共に、低温時に該接触点周りで潤滑油がペースト状に固まって介在するのを抑制できて前記隅角部の摩耗度合いを小さくすることができる。
【００４４】
また、前記隅角部が摩耗して例えば同図に示すようにアーマチュア４が前述と同様に角度θで回転位置ずれを生じても、ディスタンスブロック３Ｃとアーマチュア端縁４Ｅとの接触面積の増加は同図の符号Ａ2 で示すように、ディスタンスブロック３Ｃ面を平坦に形成したものと較べて可及的に小さく抑制することができる。
【００４５】
この結果、ディスタンスブロック３Ｃとアーマチュア端縁４Ｅの隅角部との干渉に起因してフリクションが大きくなるのを抑制できるから、電磁石５，６の電磁力をフリクションの増大化を見込んで必要以上に強めに設定しなくてもよく、バッテリの消費電力を節減することができる。
【００４６】
また、アーマチュア端縁４Ｅの隅角部の摩耗による接触面積の増加を可及的に小さく抑制でき、しかも、接触点周りへの異物の挾み込みを抑制できるから、初期の弁開閉特性を良好に維持することができる。
【００４７】
更に、本実施形態ではディスタンスブロック３Ｃのアーマチュア端縁４Ｅとの対向面を平面視して円弧状の凹曲面に形成してあるため、アーマチュア４が回転方向に位置ずれを生じた場合、該アーマチュア端縁４Ｅの一側隅角部がディスタンスブロック３Ｃ面に直ちに干渉して該回転方向の位置ずれによるアーマチュア４の電磁石吸着面からのはみだし量を小さく抑制でき、該アーマチュア４の吸着有効面積を確保できて作動不良を誘発するのを回避することができる。
【００４８】
前記実施形態では前述のようにディスタンスブロック３Ｃのアーマチュア端縁４Ｅとの対向面を平面視して円弧状の凹曲面に形成してあるが、これとは逆に図３に示すようにディスタンスブロック３Ｃのアーマチュア端縁４Ｅと対向する面を平坦に形成し、該アーマチュア端縁４Ｅを平面視して円弧状の凹曲面に形成しても初期の目的を達成することができる。
【００４９】
また、場合によってこれらディスタンスブロック３Ｃのアーマチュア端縁４Ｅと対向する面、および該アーマチュア端縁４Ｅの両方を平面視して円弧状の凹曲面に形成してもよい。
【００５０】
図４は本発明の第３実施形態を示すもので、この実施形態にあってはアーマチュア４および電磁石５，６を弁軸方向の投影平面でほぼ整合する平面矩形に形成してある点は前記第１実施形態と同様であるが、アーマチュア端縁４Ｅに対向して近接配置したディスタンスブロック３Ｃを符号Ｌ２  で示すように、該アーマチュア端縁４Ｅの中心線０上に該アーマチュア端縁４Ｅの幅寸法Ｌ１  よりも幅狭に設定してある。
【００５１】
従って、この実施形態の構造によれば前記第１実施形態と同様に、動弁装置２の複数個を気筒列方向に隣接配置する場合にそれらを近接させることが可能となる他、アーマチュア４が回転位置ずれを生じると、アーマチュア端縁４Ｅの中間部分がディスタンスブロック３Ｃの側縁に直ちに干渉し、該アーマチュア端縁４Ｅの一側隅角部とディスタンスブロック３Ｃ面とのかじりをなくしてフリクションの増大化を回避することができる。
【００５２】
この結果、電磁石５，６の電磁力を必要以上に強めに設定しなくてもよく、バッテリ消費電力の節減を図ることができると共に、アーマチュア４の回転位置ずれによる電磁石吸着面からのはみだし量を小さく抑制し、該アーマチュア４の吸着有効面積を確保できて作動不良を誘発するのを回避することができる。
【００５３】
ここで、前記第１〜第３実施形態の何れにあっても、図５の第４実施形態に示すようにディスタンスブロック３Ｃ面に対向するアーマチュア端縁４Ｅを、アーマチュア４の厚み中心線Ｔ０  上に頂部を持つ側面先細の形状、例えば半円形状に形成すれば、アーマチュア４が回転位置ずれを生じてアーマチュア端縁４Ｅがディスタンスブロック３Ｃと干渉した場合、それらの接触をほぼ点接触にすることができてフリクションを可及的に小さくし、弁開閉特性を良好に維持させることができる。
【００５４】
図６は本発明の第５実施形態を示すもので、アーマチュア４および電磁石５，６を弁軸方向の投影平面でほぼ整合する平面矩形に形成してある点、およびアーマチュア端縁４Ｅに対向して近接配置したディスタンスブロック３Ｃをアーマチュア端縁４Ｅの平面延長上にＬ１  の幅でほぼ揃うように設定してある点は前記第１実施形態と同様であるが、アーマチュア端縁４Ｅの両側隅角部には、ディスタンスブロック３Ｃ面に対して転動可能な回転体、例えばボール部材１７を装着してある。
従って、この実施形態の場合も前記第１〜第３実施形態と同様に、動弁装置２の複数個を気筒列方向に隣接配置する場合にそれらを近接させることが可能となる他、アーマチュア４が回転位置ずれを生じると、前記ボール部材１７がディスタンスブロック３Ｃ面に接触、転動してアーマチュア端縁４Ｅの一側隅角部とディスタンスブロック３Ｃ面とのかじりをなくしてフリクションの増大化を回避することができる。
【００５５】
この結果、電磁石５，６の電磁力を必要以上に強めに設定しなくてもよく、バッテリ消費電力の節減を図ることができると共に、アーマチュア４が回転位置ずれを生じるとボール部材１７が直ちにディスタンスブロック３Ｃ面に干渉してアーマチュア４の回転位置ずれによる電磁石吸着面からのはみだし量を小さく抑制し、該アーマチュア４の吸着有効面積を確保できて作動不良を誘発するのを回避することができる。
【図面の簡単な説明】
【図１】本発明の第１実施形態を示す断面説明図。
【図２】図１のＡ−Ａ線相当の要部を側壁構成部材面を平坦に形成したものと比較して示す断面説明図。
【図３】本発明の第２実施形態のアーマチュアと側壁構成部材との配置関係を示す断面説明図。
【図４】本発明の第３実施形態のアーマチュアと側壁構成部材との配置関係を示す断面説明図。
【図５】本発明の第４実施形態を示す図２および図４のＢ−Ｂ線相当の断面説明図。
【図６】本発明の第５実施形態のアーマチュアと側壁構成部材との配置関係を示す断面説明図。
【符号の説明】
１  弁体（吸気弁，排気弁）
１ａ  弁軸
２  動弁装置
３  ハウジング
３Ｃ  側壁構成部材
４  アーマチュア
４Ｅ  アーマチュア端縁
５  開弁側電磁石
６  閉弁側電磁石
７  開弁側ばね部材
８  閉弁側ばね部材
１７  回転体
【図１】
0003572387.tif 000002
【図２】
0003572387.tif 000003
【図３】
0003572387.tif 000004
【図４】
0003572387.tif 000005
【図５】
0003572387.tif 000006
【図６】
0003572387.tif 000007